(57)【要約】      （修正有）【課題】健康増進と高度なエコロジーに寄与する温浴施設を提供する。【解決手段】石敷きの床３を備えた温浴室２と、床に接続され床から排水するための排水管８と、排水管の下流に接続される排水タンク７と、排水タンクと接続されて雨水を貯留するための雨水貯留タンク６とを備える温浴施設１であって、床は、第一の石を敷き詰めた第一層１２と、第一層の上に敷かれる網１３と、網の上に保持可能でかつ第一の石よりも平均直径の小さな第二の石を敷いた層であって、温浴利用者が体を埋めることのできる第二層１４とを備える。さらに温浴室に水供給手段１６を備え、水供給手段から床の第二層、網および第一層を浸透した液体２３が排水管を通って排水タンクに到達して、雨水貯留タンクからの雨水２２と混合できる構成としている。【選択図】図１
0003216074.tif 000002
【実用新案登録請求の範囲】
【請求項１】
石敷きの床を備えた温浴室と、
前記床に接続されており前記床から排水するための排水管と、
前記排水管の下流に接続される排水タンクと、
前記排水タンクと接続されており雨水を貯留するための雨水貯留タンクと、
を備える温浴施設であって、
前記床は、
第一の石を敷き詰めた第一層と、
前記第一層の上に敷かれる網と、
前記網の上に保持可能でかつ前記第一の石よりも平均直径の小さな第二の石を敷いた層であって、温浴利用者が体を埋めることのできる第二層と、
を備え、
前記温浴室に水供給手段を備え、
前記水供給手段から前記床の前記第二層、前記網および前記第一層を浸透した液体が前記排水管を通って前記排水タンクに到達して、前記雨水貯留タンクからの雨水と混合できる構成としている温浴施設。
【請求項２】
前記第一の石を複数種の石とし、
前記第二の石を１種類の石とする請求項１に記載の温浴施設。
【請求項３】
前記雨水貯留タンクと前記排水タンクとを接続する接続管に開閉バルブを備える請求項１または２に記載の温浴施設。
【請求項４】
前記排水タンクの内底部に前記第一の石を敷いている請求項１から３のいずれか１項に記載の温浴施設。
【請求項５】
前記水供給手段の上流側に、ボイラーと、前記ボイラーに水を通過可能とする水供給用タンクと、を備える請求項１から４のいずれか１項に記載の温浴施設。
【考案の詳細な説明】
【技術分野】
【０００１】
本考案は、温浴施設に関する。
【背景技術】
【０００２】
従来から、砂の中に体若しくは脚を埋めて温浴する砂風呂が知られている（例えば、特許文献１を参照）。砂や土は、ヒトの皮膚から分泌される毒素を吸着する特性を有しており、デドックス効果が期待できる。また、蒸気や温泉によって暖められた砂粒からの遠赤外線照射による温熱作用はヒトの発汗を促す。
【０００３】
また、近年では、砂風呂以外にも、岩盤浴と称する温浴施設も人気を集めている。岩盤浴は、岩盤を床および壁に布設した施設にて当該岩盤の遠赤外線照射によりヒトの体の芯から温めて発汗を促す効果を有する。かかる岩盤浴施設に関する技術の一例として、岩盤にセラミックプレートを用いて、モルタルで鉱石を固化したものよりも吸水性を低くして悪臭の発生を軽減させると共に軽量化をも実現する技術が知られている（例えば、特許文献２を参照）。
【先行技術文献】
【特許文献】
【０００４】
【特許文献１】実用新案登録第３０７４１７５号公報
【特許文献２】実用新案登録第３１１６０１７号公報
【考案の概要】
【考案が解決しようとする課題】
【０００５】
しかし、最近では、従来から知られる砂風呂や岩盤浴をさらに発展させて、高い発汗作用、ホルモンバランスの調整、高い疲労回復を実現してさらなる健康増進を図ることが求められている。また、施設で使用されたミネラル分を含む排水を有効活用する高度なエコロジーも求められている。
【０００６】
本考案は、上記要求に応えるべくなされたものであり、健康増進と高度なエコロジーに寄与する温浴施設を提供することを目的とする。
【課題を解決するための手段】
【０００７】
（１）上記目的を達成するための一実施の形態に係る温浴施設は、石敷きの床を備えた温浴室と、床に接続されており床から排水するための排水管と、排水管の下流に接続される排水タンクと、排水タンクと接続されており雨水を貯留するための雨水貯留タンクとを備える温浴施設であって、床は、第一の石を敷き詰めた第一層と、第一層の上に敷かれる網と、網の上に保持可能でかつ第一の石よりも平均直径の小さな第二の石を敷いた層であって、温浴利用者が体を埋めることのできる第二層とを備え、温浴室に水供給手段を備え、水供給手段から床の第二層、網および第一層を浸透した液体が排水管を通って排水タンクに到達して、雨水貯留タンクからの雨水と混合できる構成としている温浴施設である。
【０００８】
別の実施の形態に係る温浴施設は、好ましくは、第一の石を複数種の石とし、第二の石を１種類の石とする。
【０００９】
別の実施の形態に係る温浴施設は、好ましくは、雨水貯留タンクと排水タンクとを接続する接続管に開閉バルブを備える。
【００１０】
別の実施の形態に係る温浴施設は、好ましくは、排水タンクの内底部に第一の石を敷いている。
【００１１】
別の実施の形態に係る温浴施設は、好ましくは、水供給手段の上流側に、ボイラーと、ボイラーに水を通過可能とする水供給用タンクと、を備える。
【考案の効果】
【００１２】
本考案によれば、健康増進と高度なエコロジーに寄与する温浴施設を提供できる。
【図面の簡単な説明】
【００１３】
【図１】図１は、本考案の一実施形態に係る温浴施設の概略構成を示す。
【図２】図２は、図１の第一層、網および第二層の各詳細の斜視図（２Ａ）および図１の領域Ｐの拡大断面図（２Ｂ）をそれぞれ示す。
【図３】図３は、排水タンク内の水の利用方法を説明するための模式図を示す。
【考案を実施するための形態】
【００１４】
次に、本考案の好適な実施形態について図面を参照して説明する。なお、以下に説明する実施形態は、実用新案登録請求の範囲に係る考案を限定するものではなく、また、実施形態の中で説明されている諸要素及びその組み合わせの全てが本考案の解決手段に必須であるとは限らない。
【００１５】
図１は、本考案の一実施形態に係る温浴施設の概略構成を示す。
【００１６】
この実施形態に係る温浴施設１は、石敷きの床３を備えた温浴室２と、床３に接続されており床３から排水するための排水管８と、排水管８の下流に接続される排水タンク７と、排水タンク７と接続されており雨水を貯留するための雨水貯留タンク６と、を備える。温浴室２は、シャワー１６等に代表される水供給手段を備える。水供給手段は、温浴室２の好ましくは外に配置される水供給用タンク４からボイラー５を通る配管１０と接続されている。すなわち、温浴施設１は、水供給手段の上流側に、ボイラー５と、ボイラー５に水を通過可能とする水供給用タンク４と、を備える。配管１０の途中には、好ましくはポンプ１８が配置されている。ただし、重力を利用して水供給用タンク４からシャワー１６等に水を供給可能であれば、ポンプ１８は不要である。
【００１７】
床３は、第一の石を敷き詰めた第一層１２と、第一層１２の上に敷かれる網１３と、網１３の上に保持可能でかつ第一の石よりも平均直径の小さな第二の石を敷いた層であって温浴利用者Ｉが体を埋めることのできる第二層１４と、を備える。温浴室２の床３の下方は、好ましくは、排水管８に集水可能な傾斜面１１である。第一層１２および／または第二層１４は、温浴室２の床底あるいは壁面等に別途備えられる加熱手段によって加熱可能である。当該加熱手段は、電力、火力、地熱、温泉の熱などの如何なる手段でも良い。例えば、床３をボイラー５の熱を利用して暖めることも可能である。シャワー１６等から冷水あるいは温水（以後、「水」という。）１７を第二層１４の表面に供給すると、暖められた第二層１４の表面で水１７が蒸発してミストを発生させることができる。
【００１８】
なお、水１７は、本願では、純粋、温泉水、地下水、水道水、井戸水などの如何なる水をも含むように広義に解釈される。水供給用タンク４は、このような水を貯留しておくタンクであり、ポンプ１８を利用して温浴室２内に水１７を供給可能な設備である。水供給用タンク４は、好ましくは、開閉可能な蓋１９を備える。管理者は、蓋１９を開けて、矢印Ａに示すように、水１７を水供給用タンク４内に供給できる。ただし、蓋１９を設けずに、バルブ付きの配管を通じて水１７を水供給用タンク４内に供給しても良い。
【００１９】
また、水１７が温泉水のようなミネラル成分を含む水以外である場合には、水１７と共に液状の無機組成物を水供給用タンク４内に供給するのが好ましい。当該液状の無機組成物は、例えば、水を主として、水の中にアルミニウム、鉄、マグネシウム、カリウム、リン、チタン、カルシウム、マンガン、ナトリウム、シリコン、コバルト、リチウム、銅、ニッケル、亜鉛、バリウムの中から１若しくは２種以上の元素を含み、ヒトの健康にとって害の無い組成物である。さらに詳しくは、当該組成物に占めるアルミニウム、鉄、マグネシウムおよびカリウムの好適な含有量は、それぞれ、当該組成物１Ｌ当たりで１〜２０ｇ、１〜２０ｇ、１〜１０ｇおよび１〜１０ｇである。当該組成物のｐＨは、好ましくは０．１〜２．０の酸性域である。ただし、水１７に当該組成物を混ぜている状態では、酸性域のｐＨであってもヒトに害の無いｐＨとなっている。
【００２０】
第一層１２は、第一の石を敷いて成り、矢印Ｂで示すように、第二層１４から移動する水分を排水管８まで通過させる役割を有する。このため、第一の石同士には大小の隙間が存在する。なお、排水管８の入口１５には、第一の石より小さいか、あるいは第一の石を通過させない網目状の蓋を備えるのが好ましい。
【００２１】
網１３は、第二の層１４を構成する第二の石を通過させないサイズの網目を有する。網１３は、第二の石を第一層１２に混ぜない役割と、第二層１４からの水分を第一層１２に向けて通過させる役割とを有する。網１３は、容易に破損しない材料、例えば、樹脂、金属、グラファイト系材料などで構成される。
【００２２】
第二層１４は、後述するように、第二の石を敷いて成り、温浴利用者Ｉがその上に座り、あるいは体の一部を埋めて横になることができる層である。第二層１４の層厚は、特に制約はないが、温浴利用者が横になって体を埋めるのに十分な厚さが好ましい。当該層厚は、好ましくは３０〜１００ｃｍ、より好ましくは４０〜８０ｃｍである。
【００２３】
排水管８は、好ましくは、排水タンク７に接続される経路中に、開閉自在なバルブ８ａを備える。ただし、バルブ８ａは必須の構成要素ではない。排水タンク７は、矢印Ｃ，Ｄで示すように排水管８から供給される排水２３と、矢印Ｇ，Ｈで示すように雨水貯留タンク６から供給される雨水２２とを含む肥料用の水２４を貯留する。排水タンク７は、好ましくは、その内底部に第一の石を敷いた第一層１２と同じ層を有する。ただし、排水タンク７内に第一の石を入れていなくても良い。また、第一の石に代えて、あるいは第一の石と共に、排水タンク７の内底部に第二の石を敷いても良い。
【００２４】
雨水貯留タンク６は、温浴室２の上方の屋根２ａを伝って落ちてくる雨水を集める雨水集水部２１を備える。雨水以外に、雪解けの水を集めることもできる。雨の日あるいは雪解けの日には、雨水あるいは雪解けの水（代表して、雨水２２という）は、矢印Ｅ，Ｆに示すように、屋根２ａから雨水集水部２１を経由して雨水貯留タンク６内に貯留される。雨水貯留タンク６は、接続管９により排水タンク７に接続されている。接続管９は、好ましくは、その経路の途中に開閉バルブ９ａを備える。このため、開閉バルブ９ａを開けると、雨水２２を排水タンク７内に供給可能である。なお、接続管９の経路の途中に、開閉バルブ９ａを設けなくても良い。さらに、開閉バルブ９ａの有無を問わず、接続管９の経路の途中にポンプ（不図示）を配置して、ポンプによって雨水２２を排水タンク７に送るようにしても良い。
【００２５】
このように、温浴施設１は、シャワー１６等の水供給手段から床３の第二層１４、網１３および第一層１２を浸透した液体（＝排水２３）が排水管８を通って排水タンク７に到達して、雨水貯留タンク６からの雨水２２と混合できる構成となっている。なお、排水２３は、シャワー１６等の水供給手段からの水１７を含まなくとも良い。さらに、排水２３は、水１７に加えて、温浴利用者Ｉの汗等も含み得る。
【００２６】
図２は、図１の第一層、網および第二層の各詳細の斜視図（２Ａ）および図１の領域Ｐの拡大断面図（２Ｂ）をそれぞれ示す。
【００２７】
第一層１２は、第一の石１２ａを敷いて成る層である。第二層１４は、第二の石１４ａを敷いて成る層である。第一層１２と第二層１４との間には、網１３が介在している。第一の石１２ａは、好ましくは、複数種の石である。なお、図２の（２Ｂ）では、第一の石１２ａを２種類の模様で複数種の石の存在を示している。これに対して、第二の石１４ａは、１種類の石でも複数種の石でも良いが、好ましくは１種類の石である。
【００２８】
第一の石１２ａは、例えば、桜花石、小野鉱石、波動石、昇竜石、トルマリン、麦飯石、医王石、ひる川石、伊勢石、カルシウム石の内の少なくとも１種、好ましくは２種以上の石の混合である。第二の石１４ａは、好ましくは、雨花石である。第一の石１２ａの大きさは、平均粒径で、３０〜６０ｍｍ以下、好ましくは３５〜５５ｍｍ、より好ましくは４０〜５０ｍｍの大きさである。第二の石１４ａの大きさは、平均粒径で、２０ｍｍ以下、好ましくは５〜２０ｍｍ、より好ましくは８〜１５ｍｍの大きさである。ここで、粒径は、第一の石１２ａあるいは第二の石１４ａを同じ体積の球にしたときの直径（球換算径）を意味する。
【００２９】
第二の石（「薬石」とも称する）１４ａは、例えばボイラー５の熱を利用して３５〜５０℃程度に暖められる。シャワー１６等の水１７を第二の石１４ａの上にかけると、第二の石１４ａは水１７を吸い込み、ナノ化されたミネラルを含むミストが温浴室２内に放出される。温浴室２内は、温度４０〜５０℃、湿度６０〜８０％程度の低温サウナの状態となる。温浴利用者Ｉは、第二の石１４ａに体の一部を埋めて横になる、あるいは第二の石１４ａの上で横になることによって、体温が上がり発汗を促される。特に、第二の石１４ａは、暖められたときに遠赤外線、あるいはマイナスイオンを放出し得る。このような作用の結果、温浴利用者Ｉは、発汗の促進、老廃物の排出、血液やリンパの正常な流れ等の効果を得ることができる。
【００３０】
図３は、排水タンク内の水の利用方法を説明するための模式図を示す。
【００３１】
排水タンク７内の水２４は、雨水２２と排水２３との混合水である。排水２３は、床３を通過する際に、第一の石１２ａおよび第二の石１４ａからのミネラル成分を吸収する。排水タンク７の内底部に第一の石１２ａや第二の石１４ａを敷いておくと、当該混合水に、これらの石１２ａ，１４ａからミネラル成分がさらに加わる。このような水２４は、肥料用の水として有効利用できる。例えば、排水タンク７内の水２４を別の容器３０に移して、植物（野菜、果樹の木なども含む）３２を植えている土壌３１に容器３０内の水２４を撒くことは、いわゆるエコロジーの観点からも有用である。
【００３２】
上述のように、本考案の好適な実施形態について説明したが、本考案は、かかる実施形態に限定されることなく、種々変形して実施可能である。
【００３３】
例えば、上記実施形態では、雨水貯留タンク６と排水タンク７とが別個に設けられているが、両タンク６，７を１つのタンクにしても良い。網１３は、好適には第一層１２と第二層１４とを隔てるために必要であるが、第一の石１２ａと第二の石１４ａとが互いに混ざる危険性が低いならば設けなくても良い。
【００３４】
第一の石１２ａを１種の石とし、第二の石１４ａを複数種の石としても良い。第一の石１２ａを１種の石とし、第二の石１４ａを１種の石としても良い。また、第一の石１２ａを複数種の石とし、第二の石１４ａを複数種の石としても良い。水１７を人工的に温める必要がなければ、ボイラー５を備えなくとも良い。また、水供給用タンク４を備えずに、水道あるいは温泉水を供給可能な配管から直接的にシャワー６等の水供給手段に接続しても良い。
【産業上の利用可能性】
【００３５】
本考案に係る温浴施設は、疲労回復、健康回復あるいは健康維持の施設として利用可能である。
【符号の説明】
【００３６】
１・・・温浴施設、２・・・温浴室、３・・・床、４・・・水供給用タンク、５・・・ボイラー６・・・雨水貯留タンク、７・・・排水タンク、８・・・排水管、９ａ・・・開閉バルブ、９・・・接続管、１２ａ・・・第一の石、１２・・・第一層、１３・・・網、１４ａ・・・第二の石、１４・・・第二層、１６・・・シャワー（水供給手段の一例）、１７・・・水、２２・・・雨水、２３・・・排水（液体）、２４・・・水（肥料用の水、混合水ともいう）、Ｉ・・・温浴利用者。
【図１】
0003216074.tif 000003
【図２】
0003216074.tif 000004
【図３】
0003216074.tif 000005